(57)【要約】【課題】回路基板の実装スペースを節約でき、カードを安定的にイジェクトできる可能的な電気コネクタを提供する。【解決手段】相手対象としてのプラグまたはカードの一方を択一的に接続可能的な電気コネクタにおいて、相手対象を収容する収容空間を形成する絶縁本体と、前記絶縁本体に装着され、前記収容空間に露出される接触部を有する複数のコンタクトと、前記収容空間を挿入したカードをイジェクトするためのイジェクト部材と、を含み、前記イジェクト部材は、前記相手対象の挿入方向に沿って、前記収容空間の奥側に配置されることを特徴とする。【選択図】図３
2011138773.tif 000002
【特許請求の範囲】
【請求項１】
相手対象としてのプラグまたはカードの一方を択一的に接続可能的な電気コネクタにおいて、
相手対象を収容する収容空間を形成する絶縁本体と、
前記絶縁本体に装着され、前記収容空間に露出される接触部を有する複数のコンタクトと、
前記収容空間に挿入されたプラグまたはカードをイジェクトするためのイジェクト部材と、
を含み、
前記イジェクト部材は、前記相手対象の挿入方向に沿って、前記収容空間の奥側に配置されることを特徴とする電気コネクタ。
【請求項２】
前記絶縁本体は、本体部と、前記本体部から前向きに延出する舌片とを含み、前記イジェクト部材は、前記本体部と舌片に配置されることを特徴とする請求項１に記載の電気コネクタ。
【請求項３】
前記絶縁本体の本体部に、溝部と、前記溝部の一側に平行に配置される収容孔とが形成され、前記イジェクト部材は、前記溝部にスライド可能に収容されるスライド部材と、前記収容孔に収容される弾性部材と、ガイド部材と、を含むことを特徴とする請求項２に記載の電気コネクタ。
【請求項４】
前記溝部は、前記絶縁本体の本体部の中央部に設けられ、前記溝部の両側にそれぞれ配置される二つ前記収容孔を有することを特徴とする請求項３に記載の電気コネクタ。
【請求項５】
前記イジェクト部材のスライド部材は、前記溝部に移動可能に配置される基部を含み、前記基部に心臓形状のガイド溝が設けられ、前記ガイド部材の一端が前記ガイド溝にスライド可能に位置していることを特徴とする請求項３に記載の電気コネクタ。
【請求項６】
前記ガイド部材は、一端が前記心臓形状のガイド溝にスライド可能に収容され、他端が前記絶縁本体の本体部に保持されることを特徴とする請求項５に記載の電気コネクタ。
【請求項７】
前記イジェクト部材のスライド部材は、前記基部に直交するように配置される当接部材を含み、該当接部材の底部に位置決め片が突出するように形成され、前記絶縁本体の舌片には、位置決め片をスライドして収容するスリットが形成されることを特徴とする請求項５に記載の電気コネクタ。
【請求項８】
前記絶縁本体の舌片には、前記コンタクトの接触部を収容する端子溝が設けられ、前記スリットが全体の端子溝の両側にそれぞれ配置されることを特徴とする請求項７に記載の電気コネクタ。
【請求項９】
前記当接部材は、前記舌片上に横たわるように配置されることを特徴とする請求項７に記載の電気コネクタ。
【請求項１０】
前記当接部材には、前記収容孔へ向く方向に延出するポストが突出して、前記弾性部材の一端がポストに保持され、他端が前記収容孔の末端に当接し保持されることを特徴とする請求項７に記載の電気コネクタ。
【発明の詳細な説明】
【技術分野】
【０００１】
本発明は、ＵＳＢプラグまたはＩＣカードの一方を択一的に接続可能な電気コネクタに関するものである。
【背景技術】
【０００２】
現在、コンピューター設備において最も普及している信号伝送規格は、USB(Universal Serial Bus)に他ならない。そこで、コンピューター設備などにＵＳＢソケットが配置している。また、電子機器においては、中央処理装置（ＣＰＵ）あるいはメモリ用の集積回路が内蔵されるメモリスティック（商標）などのＩＣカードをその各電子機器にＩＣカード用コネクタを介して装着することにより、電子機器における各種の機能拡張などを行うようにしている。一般に、ＵＳＢプラグとＩＣカードを接続するために、電子機器にはＵＳＢソケットとＩＣカード用コネクタがそれぞれ配置することが必要になった。こうして、電子機器の小型化の発展に不利になる恐れがあった。
【０００３】
従来の特許文献１では、電気コネクタがＵＳＢケーブルまたはＩＣカードの一方が択一的に接続可能になり、絶縁ハウジングと、絶縁ハウジングに保持されるコンタクトと、絶縁ハウジングの外部を覆っている金属シェルと、イジェクト部材とを含み、絶縁ハウジングと金属シェルが収容空間を形成し、前記イジェクト部材は収容空間の一側に配置され、イジェクト部材は、前記収容空間に突出するイジェクト部が設けられる。ＵＳＢプラグを収容空間に挿入すると、イジェクト部材が収容空間の一側に配置されることで、ＵＳＢプラグがイジェクト部材を駆動させず、ＩＣカードを挿入すると、ＩＣカードがイジェクトのイジェクト部に押圧されて、収容空間まで完全に挿入される。ＩＣカードを排出したい時には、ＩＣカードの挿入方向に沿ってＩＣカードを再度押圧してＩＣカードを収容空間から排出されるようにする。
【先行技術文献】
【特許文献】
【０００４】
【特許文献１】中国実用新案公告ＣＮ２７４９１３５Ｙ号明細書
【発明の開示】
【発明が解決しようとする課題】
【０００５】
しかしながら、従来の電気コネクタにおいてイジェクト部材が収容空間の一側に配置されることで、収容空間の挿入口の幅が広くなり、電気機器における他部材の配置位置が制限され、回路基板のスペースを占めるが恐れがあった。また、イジェクト部材が収容空間の一側に位置するので、ＩＣカードを排出するときに、ＩＣカードの一端だけが押圧力を受け、ＩＣカードを収容空間から安定的にイジェクトできないという問題があった。
【０００６】
本発明は、係る点に鑑みてなされたものであり、回路基板の実装スペースを節約でき、ＩＣカードを安定的にイジェクトできる電気コネクタを提供することを目的とする。
【課題を解決するための手段】
【０００７】
本発明は、相手対象としてのプラグまたはＩＣカードの一方が択一的に接続可能的な電気コネクタにおいて、相手対象を収容する収容空間を形成する絶縁本体と、前記絶縁本体に装着され、前記収容空間に露出される接触部を有する複数のコンタクトと、前記収容空間を挿入したＩＣカードをイジェクトするためのイジェクト部材と、を含み、前記イジェクト部材は、前記相手対象の挿入方向に沿って、前記収容空間の奥側に配置されることを特徴とする。
【発明の効果】
【０００８】
従来技術に比べ、本発明は以下の利点を有している。前記イジェクト部材は、相手対象の挿入方向に沿って前記収容空間の奥側に配置されることにより、回路基板の実装スペースを節約でき、イジェクト部材が相手対象の挿入方向の末端に配置されるので、ＩＣカードをイジェクトする時に、イジェクト部材がＩＣカードの先端を押圧して安定的にイジェクトできるようになる。
【図面の簡単な説明】
【０００９】
【図１】本発明に係る電気コネクタの組立斜視図である。
【図２】図１に示す電気コネクタを他の角度から見た組立斜視図である。
【図３】本発明に係る電気コネクタの分解斜視図である。
【図４】本発明に係る電気コネクタの上金属シェルを外した平面図である。
【図５】図１に示す電気コネクタの平面図である。
【発明を実施するための形態】
【００１０】
以下、本発明についての実施形態を詳細に説明する。図１乃至図５を参照すると、本発明に係る電気コネクタ１００が回路基板（図示せず）に実装可能となってなり、ＵＳＢプラグまたはＩＣカードの一方が択一的に接続可能なものであり、挿入口を有する収容空間１０が設けられる絶縁本体１と、絶縁本体１に装着される複数のコンタクト２と、絶縁本体１の外周を覆う金属シェル３と、イジェクト部材４と、を含み、前記相手対象としてのＵＳＢプラグ又はＩＣカードを同じ挿入方向に沿って収容空間１０に挿入できる。以下の説明において、相手対象の排出方向を前方とする。
【００１１】
図３を参照すると、絶縁本体１は、本体部１１と、本体部１１から前向きに延出するように形成される舌片１２とを含み、前記舌片１２には収容空間１０が窪んで形成され、本体部１１の上壁と舌片１２の上壁とが階段状を呈するように配置される。舌片１２の上壁に複数の端子溝１２１と、端子溝１２１の両側に形成されるスリット１２２とが設けられ、前記舌片１２の上表面において、スリット１２２の長さが端子溝１２１より長くなっている。本体部１１の上壁には、略中央部に配置される溝部１１１と、溝部１１１の両側にそれぞれ位置しかつ溝部１１１と平行となる収容孔１１２とが形成される。溝部１１１と収容孔１１２とは、相手対象の挿入方向に沿って延出して、溝部１１１と収容孔１１２の先端が収容空間１０に連通しているように配置される。溝部１１１の末端において本体部１１には保持孔１１３が設けられている。
【００１２】
コンタクト２は、前記端子溝１２１に収容される接触部２１と、接触部２１に交差し回路基板へ向く方向に延出する端子部２２と、を含む。接触部２１は、舌片１２の上壁に突出して収容空間１０に露出して、前記端子部２２が絶縁本体１を突出し回路基板に接続できる。
【００１３】
金属シェル３は、互いに係合する上金属シェル３１と下金属シェル３２とを構成して、上金属シェル３１が絶縁本体１の舌片１２の上壁に対向するように配置され、また、上金属シェル３１の前記溝部１１１に対向する部分には、溝部１１１へと延出する弾性片３１１が設けられる。金属シェル３は絶縁本体１の外周を覆って絶縁本体１の先端より前方に突出する。金属シェル３の先端には、収容空間１０に連通する挿入口３７が形成される。金属シェル３が絶縁本体１より長いので、相手対象を挿入した時に安定するようになっている。
【００１４】
イジェクト部材４は、絶縁本体１の本体部１１に組み合わせられ、Ｔ字形状を呈するスライド部材４１と、弾性部材４２と、ガイド部材４３と、を含む。スライド部材４１は、前記溝部１１１へ移動可能な基部４１１と、基部４１１に直交するように形成される当接部材４１２と、を含む。当接部材４１２は絶縁本体１の舌片１２上に配置され、当接部材４１２の底部の両端には、前記スリット１２２へスライド可能な位置決め片４１２０がそれぞれ形成され、また、当接部材４１２の、絶縁本体１の収容溝１１２に対応する箇所には、ポスト４１２３がそれぞれ突出するように設けられる。前記弾性部材４２は、収容溝１１２に収容されるスプリングであり、一端が当接部材４１２のポスト４１２３に保持され、他端の収容溝１１２の末端に当接し保持される。
【００１５】
基部４１１には、前記ガイド部材４３の一端を移動する心臓形状のガイド溝４１１０が設けられ、前記ガイド部材４３の一端が基部４１１のガイド溝４１１０内でスライドでき、他端が絶縁本体１の保持孔１１３に回転可能に保持され、前記金属シェル３の弾性片３１１がガイド部材４１３に押圧して、ガイド部材４１３の安定した移動を保証できる。該イジェクト部材４は、所謂、プッシュ・プッシュ操作によりＩＣカードをイジェクトすることを行なうものであり、その作動原理は業界の公知技術であるため、ここでは詳細に説明しない。
【００１６】
ＩＣカードを挿入すると、ＩＣカードが前記当接部材４１２を押圧して奥側へ挿入されスライドできるようになる。ＩＣカードをイジェクトする時には、前記ＩＣカードを再度押圧して、イジェクト部材４の弾性部材４２の弾性力によりスライド部材４１を前方へスライドさせると、ＩＣカードがイジェクトされる。前記弾性部材４２と位置決め片４１２０とをそれぞれ二つずつ有するので、ＩＣカードを受けた押圧力が均等になり、作動過程においてスライド４１の移動が安定して行われる。
【００１７】
本発明の電気コネクタは、ＵＳＢプラグまたはＩＣカードの一方が択一的に接続可能になり、イジェクト部材４が収容空間１０の後端に配置されるので、電気コネクタの挿入口３７の幅がＵＳＢプラグの幅とほぼ等しく、電気コネクタ１００の完成品の幅が減少され、回路基板の実装スペースを節約できる。また、前記イジェクト部材４が収容空間１０の奥側に配置されるので、イジェクト部材４の当接部材４１２がＩＣカードの先端に当接して、ＩＣカードを安定してイジェクトできる。
【００１８】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００１９】
１００  電気コネクタ
１  絶縁本体
１０  収容空間
１１  本体部
１２  舌片
１１１  溝部
１１２  収容部
１２１  端子溝
１２２  スリット
２  コンタクト
３  金属シェル
４  イジェクト部材
４１  スライド部材
４２  弾性部材
４３  ガイド部材
【図１】
2011138773.tif 000003
【図２】
2011138773.tif 000004
【図３】
2011138773.tif 000005
【図４】
2011138773.tif 000006
【図５】
2011138773.tif 000007